【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
道路の路面や道路沿いの法面や橋梁やトンネル等の道路構造物を管理するための道路構造物の管理システムであって、
個々の道路構造物を特定するための各道路構造物に対応する特定情報を、入力および記憶可能な特定情報登録手段と、
該特定情報登録手段に記憶される各前記特定情報毎に、対応する道路構造物の重要度を表す重要度情報を入力および記憶可能な重要度登録手段と、
各前記特定情報毎に、対応する道路構造物の損傷度を表す損傷度情報を入力および記憶可能な損傷度登録手段と、
各前記特定情報毎に、対応する前記重要度情報および前記損傷度情報に基づいて、対応する道路構造物の補修を実行する優先度を表す補修優先度情報を算出する補修優先度算出手段と、
該補修優先度算出手段により算出された前記補修優先度情報に基づく情報を、対応する前記特定情報と共に出力する補修優先度出力手段とを備え、
前記重要度情報は、
対応する前記特定情報で特定される道路構造物が属する路線の、種類および交通量に基づく路線重要度と、
対応する前記特定情報で特定される道路構造物の、構造および架設状況に基づく構造物重要度と、
対応する前記特定情報で特定される道路構造物が置かれた自然状況に基づく自然条件重要度とのうちの少なくとも一つに依存して定められることを特徴とする道路構造物の管理システム。
【請求項２】
道路の路面や道路沿いの法面や橋梁やトンネル等の道路構造物を管理するための道路構造物の管理システムであって、
個々の道路構造物を特定するための各道路構造物に対応する特定情報を、入力および記憶可能な特定情報登録手段と、
該特定情報登録手段に記憶される各前記特定情報毎に、対応する道路構造物の重要度を表す重要度情報を入力および記憶可能な重要度登録手段と、
各前記特定情報毎に、対応する道路構造物の損傷度を表す損傷度情報を入力および記憶可能な損傷度登録手段と、
各前記特定情報毎に、対応する前記重要度情報および前記損傷度情報に基づいて、対応する道路構造物の補修を実行する優先度を表す補修優先度情報を算出する補修優先度算出手段と、
該補修優先度算出手段により算出された前記補修優先度情報に基づく情報を、対応する前記特定情報と共に出力する補修優先度出力手段とを備え、
前記重要度情報は、
対応する前記特定情報で特定される道路構造物が属する路線の、種類および交通量に基づく路線重要度と、
対応する前記特定情報で特定される道路構造物の、構造および架設状況に基づく構造物重要度と、
対応する前記特定情報で特定される道路構造物が置かれた自然状況に基づく自然条件重要度とに依存して定められることを特徴とする道路構造物の管理システム。
【請求項３】
前記重要度情報は、前記重要度を数値または所定の複数段階で表現したものであり、
前記損傷度情報は、前記損傷度を数値または所定の複数段階で表現したものであり、
前記補修優先度算出手段は、前記重要度情報と前記損傷度情報とを所定の割合で勘案して、前記補修優先度情報を算出することを特徴とする請求項１または２記載の道路構造物の管理システム。
【請求項４】
前記補修優先度情報は、前記優先度を数値または所定の複数段階で表現したものであることを特徴とする請求項１〜３のうちのいずれか一項記載の道路構造物の管理システム。
【請求項５】
前記補修優先度出力手段は、前記補修優先度情報を、該補修優先度情報が表す前記優先度が高い順に並べて出力可能であることを特徴とする請求項４記載の道路構造物の管理システム。
【請求項６】
前記損傷度情報は、対応する前記特定情報で特定される道路構造物を点検して定められたものであることを特徴とする請求項１〜５のうちのいずれか一項記載の道路構造物の管理システム。
【請求項７】
道路構造物の損傷の種類および損傷度に応じた補修工法を表す補修工法情報を記憶する補修工法記憶手段と、
前記特定情報登録手段に記憶される各前記特定情報毎に、対応する道路構造物を点検して観測された、該道路構造物のひび割れや剥離や剥落や断面欠損等の損傷の種類を表す損傷種類情報を、入力および記憶可能な損傷種類登録手段と、
各前記特定情報毎に、対応する前記損傷種類情報および前記損傷度情報に基づいて、対応する道路構造物に対して行うべき補修の補修工法を、前記補修工法記憶手段に記憶された補修工法情報の中から選択する補修工法選択手段と、
該補修工法選択手段により選択された補修工法情報を、対応する前記特定情報と共に出力する補修工法出力手段とを備えることを特徴とする請求項１〜６のうちのいずれか一項記載の道路構造物の管理システム。
【請求項８】
前記補修工法記憶手段に記憶された各前記補修工法情報が表す補修工法を実施するのに必要な補修費用を表す補修費用情報を、各補修工法情報に関連付けて記憶する補修費用記憶手段と、
前記補修工法選択手段により選択された前記補修工法情報に対応する前記補修費用情報を、前記補修費用記憶手段から読み出す補修費用選択手段と、
前記特定情報登録手段に記憶される各前記特定情報毎に、対応する道路構造物の属する路線を表す路線情報を入力および記憶可能な路線登録手段と、
同一の前記路線情報に対応する全ての前記特定情報が表す各道路構造物に対して行うべき補修の補修費用を、前記補修費用選択手段によってそれぞれ求め、求められた該各道路構造物の補修費用を合計することで、特定の路線に属する、前記特定情報に対応付けられた全ての道路構造物の補修費用を算出する路線補修費用算出手段とを備えることを特徴とする請求項７記載の道路構造物の管理システム。
【請求項９】
前記特定情報登録手段に記憶される各前記特定情報毎に、対応する道路構造物の位置を表す構造物位置情報を入力および記憶可能な構造物位置登録手段と、
前記構造物位置登録手段に記憶された前記構造物位置情報に基づいて、道路構造物の位置を地図上に表示させて出力する地図出力手段とを備えることを特徴とする請求項１〜８のうちのいずれか一項記載の道路構造物の管理システム。
【請求項１０】
前記補修優先度出力手段は、前記地図出力手段による前記地図上の道路構造物の位置を表す表示を、各道路構造物の前記特定情報に対応する前記補修優先度情報の内容に応じて、色や字体等の表示方法を異ならせて出力可能であることを特徴とする請求項９記載の道路構造物の管理システム。
【請求項１１】
前記地図出力手段は、前記地図を表示可能な表示装置を有し、
ユーザーに、前記表示装置に表示された前記地図上の道路構造物の位置を指定可能に設けられると共に、該指定された道路構造物に対応する、前記重要度情報、前記損傷度情報、および前記損傷種類情報のうちの少なくとも一つを、入力可能とする入力手段を備えることを特徴とする請求項９または１０記載の道路構造物の管理システム。
【請求項１２】
道路の路面や道路沿いの法面や橋梁やトンネル等の道路構造物の種類のうちの二種類以上を管理できるようにするための、前記特定情報登録手段に記憶される各前記特定情報毎に、対応する道路構造物の種類を表す構造物種類情報を入力および記憶可能な構造物種類登録手段を備え、
前記地図出力手段は、
前記構造物種類情報が表す種類毎に別個に確保された記憶領域から成り、各道路構造物の前記構造物位置情報によって表された位置に対応する箇所に表示データが格納される構造物種類別位置レイヤと、
各該構造物種類別位置レイヤに格納された前記表示データを、道路構造物の位置を表す表示として、前記地図に重ねて出力するレイヤ出力手段と、
各前記構造物種類別位置レイヤに格納された前記表示データを、前記構造物種類情報が表す種類毎に、前記レイヤ出力手段により前記地図に重ねて出力するか否かを制御するレイヤ出力制御手段とを有することを特徴とする請求項９〜１１のうちのいずれか一項記載の道路構造物の管理システム。
【請求項１３】
道路構造物の位置へ運搬可能に設けられ、道路構造物を点検して観測された前記損傷度情報を入力可能な損傷度入力手段を有する端末機器と、
該端末機器の位置を表す端末位置情報を認識する位置認識手段と、
該位置認識手段により認識された前記端末位置情報を各前記構造物位置情報と照合することで、前記端末機器が位置する道路構造物の前記特定情報を認識する構造物認識手段とを備え、
前記損傷度登録手段は、前記損傷度入力手段により前記端末機器に入力された前記損傷度情報を、前記構造物認識手段により認識した前記特定情報に対応させて記憶して登録することを特徴とする請求項９〜１２のうちのいずれか一項記載の道路構造物の管理システム。
【請求項１４】
道路構造物の損傷の種類および損傷度に応じた補修工法を表す補修工法情報を記憶する補修工法記憶手段と、
前記特定情報登録手段に記憶される各前記特定情報毎に、対応する道路構造物を点検して観測された、該道路構造物のひび割れや剥離や剥落や断面欠損等の損傷の種類を表す損傷種類情報を、入力および記憶可能な損傷種類登録手段と、
各前記特定情報毎に、対応する前記損傷種類情報および前記損傷度情報に基づいて、対応する道路構造物に対して行うべき補修の補修工法を、前記補修工法記憶手段に記憶された補修工法情報の中から選択する補修工法選択手段と、
該補修工法選択手段により選択された補修工法情報を、対応する前記特定情報と共に出力する補修工法出力手段とを備え、
前記端末機器は、道路構造物を点検して観測された前記損傷種類情報を入力可能な損傷種類入力手段を有し、
前記損傷種類登録手段は、前記端末機器に入力された前記損傷種類情報を、前記構造物認識手段により認識した前記特定情報に対応させて記憶して登録することを特徴とする請求項１３記載の道路構造物の管理システム。
【請求項１５】
前記補修工法記憶手段に記憶された各前記補修工法情報が表す補修工法を実施するのに必要な補修費用を表す補修費用情報を、各補修工法情報に関連付けて記憶する補修費用記憶手段と、
前記補修工法選択手段により選択された前記補修工法情報に対応する前記補修費用情報を、前記補修費用記憶手段から読み出す補修費用選択手段と、
前記特定情報登録手段に記憶される各前記特定情報毎に、対応する道路構造物の属する路線を表す路線情報を入力および記憶可能な路線登録手段と、
道路の路面や道路沿いの法面や橋梁やトンネル等の道路構造物の種類のうちの二種類以上を管理できるようにするための、前記特定情報登録手段に記憶される各前記特定情報毎に、対応する道路構造物の種類を表す構造物種類情報を入力および記憶可能な構造物種類登録手段と、
同一の前記路線情報を有し、なおかつ前記構造物種類情報が同一の種類を表している前記特定情報に対応する各道路構造物に対して行うべき補修の補修費用を、前記補修費用選択手段によってそれぞれ求め、求められた該各道路構造物の補修費用を合計することで、特定の路線に属する、前記特定情報に対応付けられた同一種類の全ての道路構造物の補修費用を算出する路線補修費用算出手段とを備えることを特徴とする請求項１４記載の道路構造物の管理システム。
【請求項１６】
道路構造物の位置に運搬されている前記端末機器と通信して、端末機器に入力された前記損傷度情報および／または前記損傷種類情報を受信する通信手段を備えることを特徴とする請求項１３〜１５のうちのいずれか一項記載の道路構造物の管理システム。
【請求項１７】
前記位置認識手段は、前記端末機器に設けられ、
前記通信手段は、前記端末機器から、前記損傷度情報および／または前記損傷種類情報とともに前記端末位置情報を受信可能であることを特徴とする請求項１６記載の道路構造物の管理システム。
【手続補正２】
【補正対象書類名】明細書
【補正対象項目名】０００８
【補正方法】変更
【補正の内容】
【０００８】
本発明に係る道路構造物の管理システムは、上記課題を解決するために、以下の構成を備える。すなわち、道路の路面や道路沿いの法面や道路構造物やトンネル等の道路構造物を管理するための道路構造物の管理システムであって、個々の道路構造物を特定するための各道路構造物に対応する特定情報を、入力および記憶可能な特定情報登録手段と、該特定情報登録手段に記憶される各前記特定情報毎に、対応する道路構造物の重要度を表す重要度情報を入力および記憶可能な重要度登録手段と、各前記特定情報毎に、対応する道路構造物の損傷度を表す損傷度情報を入力および記憶可能な損傷度登録手段と、各前記特定情報毎に、対応する前記重要度情報および前記損傷度情報に基づいて、対応する道路構造物の補修を実行する優先度を表す補修優先度情報を算出する補修優先度算出手段と、該補修優先度算出手段により算出された前記補修優先度情報に基づく情報を、対応する前記特定情報と共に出力する補修優先度出力手段とを備え、前記重要度情報は、対応する前記特定情報で特定される道路構造物が属する路線の、種類および交通量に基づく路線重要度と、対応する前記特定情報で特定される道路構造物の、構造および架設状況に基づく構造物重要度と、対応する前記特定情報で特定される道路構造物が置かれた自然状況に基づく自然条件重要度とのうちの少なくとも一つに依存して定められることを特徴とする。
これによれば、簡単に、かつ一貫した判断基準で、道路構造物の補修等を行う優先順位を決定することができる。また、道路構造物の重要度を的確に定義できるため、補修優先度算出手段により補修の優先度を的確に求めることができる。
【手続補正３】
【補正対象書類名】明細書
【補正対象項目名】０００９
【補正方法】変更
【補正の内容】
【０００９】
また、道路の路面や道路沿いの法面や橋梁やトンネル等の道路構造物を管理するための道路構造物の管理システムであって、個々の道路構造物を特定するための各道路構造物に対応する特定情報を、入力および記憶可能な特定情報登録手段と、該特定情報登録手段に記憶される各前記特定情報毎に、対応する道路構造物の重要度を表す重要度情報を入力および記憶可能な重要度登録手段と、各前記特定情報毎に、対応する道路構造物の損傷度を表す損傷度情報を入力および記憶可能な損傷度登録手段と、各前記特定情報毎に、対応する前記重要度情報および前記損傷度情報に基づいて、対応する道路構造物の補修を実行する優先度を表す補修優先度情報を算出する補修優先度算出手段と、該補修優先度算出手段により算出された前記補修優先度情報に基づく情報を、対応する前記特定情報と共に出力する補修優先度出力手段とを備え、前記重要度情報は、対応する前記特定情報で特定される道路構造物が属する路線の、種類および交通量に基づく路線重要度と、対応する前記特定情報で特定される道路構造物の、構造および架設状況に基づく構造物重要度と、対応する前記特定情報で特定される道路構造物が置かれた自然状況に基づく自然条件重要度とに依存して定められることを特徴とする。
これによれば、簡単に、かつ一貫した判断基準で、道路構造物の補修等を行う優先順位を決定することができる。また、道路構造物の重要度を的確に定義できるため、補修優先度算出手段により補修の優先度を的確に求めることができる。
【手続補正４】
【補正対象書類名】明細書
【補正対象項目名】００１０
【補正方法】変更
【補正の内容】
【００１０】
さらに、前記重要度情報は、前記重要度を数値または所定の複数段階で表現したものであり、前記損傷度情報は、前記損傷度を数値または所定の複数段階で表現したものであり、前記補修優先度算出手段は、前記重要度情報と前記損傷度情報とを所定の割合で勘案して、前記補修優先度情報を算出することを特徴とする。
これによれば、道路構造物の重要度と損傷度とを、分かりやすくかつ一貫した表現で表すことができ、また、補修優先度情報の算出を、容易にかつ一貫した基準で行うことができる。
【手続補正５】
【補正対象書類名】明細書
【補正対象項目名】００１１
【補正方法】変更
【補正の内容】
【００１１】
また、前記補修優先度情報は、前記優先度を数値または所定の複数段階で表現したものであることを特徴とする。
これによれば、補修優先度情報を、分かりやすくかつ一貫した表現で表すことができる。
【手続補正６】
【補正対象書類名】明細書
【補正対象項目名】００１２
【補正方法】変更
【補正の内容】
【００１２】
さらに、前記補修優先度出力手段は、前記補修優先度情報を、該補修優先度情報が表す前記優先度が高い順に並べて出力可能であることを特徴とする。
これによれば、各道路構造物の、補修を行うべき優先順位を一目で確認できるようにすることができる。なお、本願の特許請求の範囲および明細書でいうところの「補修」とは、修理、修復、補強および再建設等の概念を含む。
【手続補正７】
【補正対象書類名】明細書
【補正対象項目名】００１４
【補正方法】変更
【補正の内容】
【００１４】
また、道路構造物の損傷の種類および損傷度に応じた補修工法を表す補修工法情報を記憶する補修工法記憶手段と、前記特定情報登録手段に記憶される各前記特定情報毎に、対応する道路構造物を点検して観測された、該道路構造物のひび割れや剥離や剥落や断面欠損等の損傷の種類を表す損傷種類情報を、入力および記憶可能な損傷種類登録手段と、各前記特定情報毎に、対応する前記損傷種類情報および前記損傷度情報に基づいて、対応する道路構造物に対して行うべき補修の補修工法を、前記補修工法記憶手段に記憶された補修工法情報の中から選択する補修工法選択手段と、該補修工法選択手段により選択された補修工法情報を、対応する前記特定情報と共に出力する補修工法出力手段とを備えることを特徴とする。
これによれば、道路構造物の点検により観測された道路構造物の損傷の種類や度合い（損傷度）が入力されることで、対応する道路構造物に対して行うべき補修の工法を出力することができる。
【手続補正８】
【補正対象書類名】明細書
【補正対象項目名】００１５
【補正方法】変更
【補正の内容】
【００１５】
さらに、前記補修工法記憶手段に記憶された各前記補修工法情報が表す補修工法を実施するのに必要な補修費用を表す補修費用情報を、各補修工法情報に関連付けて記憶する補修費用記憶手段と、前記補修工法選択手段により選択された前記補修工法情報に対応する前記補修費用情報を、前記補修費用記憶手段から読み出す補修費用選択手段と、前記特定情報登録手段に記憶される各前記特定情報毎に、対応する道路構造物の属する路線を表す路線情報を入力および記憶可能な路線登録手段と、同一の前記路線情報に対応する全ての前記特定情報が表す各道路構造物に対して行うべき補修の補修費用を、前記補修費用選択手段によってそれぞれ求め、求められた該各道路構造物の補修費用を合計することで、特定の路線に属する、前記特定情報に対応付けられた全ての道路構造物の補修費用を算出する路線補修費用算出手段とを備えることを特徴とする。
これによれば、路線毎の、道路構造物の補修費用を算出することができる。
【手続補正９】
【補正対象書類名】明細書
【補正対象項目名】００１８
【補正方法】変更
【補正の内容】
【００１８】
また、前記地図出力手段は、前記地図を表示可能な表示装置を有し、ユーザーに、前記表示装置に表示された前記地図上の道路構造物の位置を指定可能に設けられると共に、該指定された道路構造物に対応する、前記重要度情報、前記損傷度情報、および前記損傷種類情報のうちの少なくとも一つを、入力可能とする入力手段を備えることを特徴とする。
これによれば、ユーザーが入力装置により、表示装置に表示された地図上で道路構造物の位置を指定して、指定した道路構造物に対応する情報を入力できる。
【手続補正１０】
【補正対象書類名】明細書
【補正対象項目名】００２１
【補正方法】変更
【補正の内容】
【００２１】
さらに、道路構造物の損傷の種類および損傷度に応じた補修工法を表す補修工法情報を記憶する補修工法記憶手段と、前記特定情報登録手段に記憶される各前記特定情報毎に、対応する道路構造物を点検して観測された、該道路構造物のひび割れや剥離や剥落や断面欠損等の損傷の種類を表す損傷種類情報を、入力および記憶可能な損傷種類登録手段と、各前記特定情報毎に、対応する前記損傷種類情報および前記損傷度情報に基づいて、対応する道路構造物に対して行うべき補修の補修工法を、前記補修工法記憶手段に記憶された補修工法情報の中から選択する補修工法選択手段と、該補修工法選択手段により選択された補修工法情報を、対応する前記特定情報と共に出力する補修工法出力手段とを備え、前記端末機器は、道路構造物を点検して観測された前記損傷種類情報を入力可能な損傷種類入力手段を有し、前記損傷種類登録手段は、前記端末機器に入力された前記損傷種類情報を、前記構造物認識手段により認識した前記特定情報に対応させて記憶して登録することを特徴とする。
これによれば、ユーザーが、道路構造物の点検の際、端末機器を道路構造物の所へ持参（運搬）して、その道路構造物の損傷種類情報を端末機器に入力することで、位置認識手段と構造物認識手段とによって道路構造物を特定すると共に、入力された損傷種類情報をその道路構造物の特定情報に対応させて登録することができる。さらに、入力された損傷度情報および損傷種類情報に基づいて、道路構造物の補修費用を算出することができる。
【手続補正１１】
【補正対象書類名】明細書
【補正対象項目名】００２２
【補正方法】変更
【補正の内容】
【００２２】
さらに、前記補修工法記憶手段に記憶された各前記補修工法情報が表す補修工法を実施するのに必要な補修費用を表す補修費用情報を、各補修工法情報に関連付けて記憶する補修費用記憶手段と、前記補修工法選択手段により選択された前記補修工法情報に対応する前記補修費用情報を、前記補修費用記憶手段から読み出す補修費用選択手段と、前記特定情報登録手段に記憶される各前記特定情報毎に、対応する道路構造物の属する路線を表す路線情報を入力および記憶可能な路線登録手段と、道路の路面や道路沿いの法面や橋梁やトンネル等の道路構造物の種類のうちの二種類以上を管理できるようにするための、前記特定情報登録手段に記憶される各前記特定情報毎に、対応する道路構造物の種類を表す構造物種類情報を入力および記憶可能な構造物種類登録手段と、同一の前記路線情報を有し、なおかつ前記構造物種類情報が同一の種類を表している前記特定情報に対応する各道路構造物に対して行うべき補修の補修費用を、前記補修費用選択手段によってそれぞれ求め、求められた該各道路構造物の補修費用を合計することで、特定の路線に属する、前記特定情報に対応付けられた同一種類の全ての道路構造物の補修費用を算出する路線補修費用算出手段とを備えることを特徴とする。
これによれば、路線毎の道路構造物の補修費用を、道路構造物毎に算出することができる。